(57)【要約】【課題】グリーンフォークを予め決められた範囲の角度で着脱可能に固定することが可能なラウンド用品セットを提供する。【解決手段】本発明のラウンド用品セットは、ボールマーカーと、グリーンフォークと、基台と、ボールマーカーにおいて、グリーンフォークと向かい合う面に設けられてグリーンフォークへボールマーカーを保持させる保持部と、グリーンフォークにおいてボールマーカーと向かい合う第一面に設けられてボールマーカーを載置する載置部と、グリーンフォークにおいて第一面の裏側である第二面に設けられて基台を保持するグリーンフォーク側保持手段と、基台においてグリーンフォークと向かい合う第三面に設けられてグリーンフォークを保持する基台側保持手段と、基台の第三面の裏面である第四面に設けられて基台を固定する固定手段を備える。【選択図】図１
2018110754.tif 000002
【特許請求の範囲】
【請求項１】
競技中にゴルフボールの代わりとして置くボールマーカーと、
グリーン上のボールマークを直すグリーンフォークと、
前記グリーンフォークを保持する基台と、
前記ボールマーカーにおいて、前記グリーンフォークと向かい合う面に設けられて、前記グリーンフォークへ前記ボールマーカーを保持させる保持部と、
前記グリーンフォークにおいて、前記ボールマーカーと向かい合う第一面に設けられて、前記ボールマーカーを載置する載置部と、
前記グリーンフォークにおいて、前記第一面の裏側である第二面に設けられて、前記基台を保持するグリーンフォーク側保持手段と、
前記基台において、前記グリーンフォークと向かい合う第三面に設けられて、前記グリーンフォークを保持する基台側保持手段と、
前記基台の前記第三面の裏面である第四面に設けられて、使用者が身につける靴や衣料品等に前記基台を固定する固定手段を備えることを特徴とするラウンド用品セット。
【請求項２】
前記グリーンフォーク側保持手段は、前記第二面において周方向に間隔を空けて複数配置され、かつ、前記基台側保持手段は、前記第三面において周方向に間隔を空けて複数配置されることを特徴とする請求項１に記載のラウンド用品セット。
【請求項３】
前記ボールマーカーの前記保持部と、前記グリーンフォークの前記載置部との間に働く、ボールマーカー−グリーンフォーク間保持力よりも、
前記グリーンフォーク側保持手段と、前記基台側保持手段との間に働く、グリーンフォーク−基台間保持力が大きいことを特徴とする請求項１または請求項２に記載のラウンド用品セット。
【請求項４】
前記グリーンフォークと前記基台が重なって保持されている際、その重なる方向をＺ軸方向と定義するとき、
前記グリーンフォーク側保持手段と、前記基台側保持手段は、いずれも点対称に配置され、
且つ、
前記グリーンフォーク側保持手段の対称中心と、前記基台側保持手段の対称中心が、Ｚ軸方向から見て、略一致することを特徴とする請求項２に記載のラウンド用品セット。
【請求項５】
前記グリーンフォーク側保持手段と、前記基台側保持手段のうち少なくとも一方は、着磁された強磁性体であり、
且つ、
前記グリーンフォーク側保持手段と、前記基台側保持手段は、両者の間に働く磁力により引きつけ合って保持されることを特徴とする請求項１から請求項４のうちのいずれか一項に記載のラウンド用品セット。
【請求項６】
前記基台側保持手段は、前記グリーンフォークと向かい合う側が第一磁極に着磁されており、
且つ、
前記グリーンフォーク側保持手段は、前記基台と向かい合う側が前記第一磁極と逆極性である第二磁極に着磁されていることを特徴とする請求項５に記載のラウンド用品セット。
【請求項７】
前記ボールマーカーの前記保持部は、強磁性体であることを特徴とする請求項５または請求項６に記載のラウンド用品セット。
【請求項８】
前記グリーンフォークの前記載置部は、強磁性体であることを特徴とする請求項７に記載のラウンド用品セット。
【請求項９】
前記グリーンフォークの前記載置部は、着磁された強磁性体であることを特徴とする請求項８に記載のラウンド用品セット。
【請求項１０】
前記載置部は、前記ボールマーカーと向かい合う面が第三磁極に着磁されており、
且つ、
前記保持部は、前記グリーンフォークと向かい合う側が該第三磁極と逆極性である第四磁極に着磁されていることを特徴とする請求項９に記載のラウンド用品セット。
【請求項１１】
前記グリーンフォークは、非磁性体であることを特徴とする請求項５から請求項１０のうちのいずれか一項に記載のラウンド用品セット。
【請求項１２】
前記ボールマーカーは、
略平面状のマーク部と、
前記マーク部から略垂直に突出した針部を有し、
前記グリーンフォークは、
前記針部を貫通させて収容する穴であるグリーンフォーク開口部を備えることを特徴とする請求項１から請求項１１のうちのいずれか一項に記載のラウンド用品セット。
【請求項１３】
前記基台は、
前記針部を貫通させて収容する孔である基台開口部を備えることを特徴とする請求項１２に記載のラウンド用品セット。
【請求項１４】
前記グリーンフォークは、
グリーン上のボールマークを直すため土を掘り起こすフォーク部と、
前記使用者が掴んで把持する柄部を備え、
前記柄部に前記グリーンフォーク開口部を有することを特徴とする請求項１２または請求項１３に記載のラウンド用品セット。
【請求項１５】
グリーン上に自分のボールが乗った際に、前記ボールの代わりに置くボールマーカーと、
ゴルフ場においてグリーン上のボールマークを直すためのグリーンフォークと、
前記グリーンフォークを保持する基台を備え、
前記ボールマーカーと前記グリーンフォークの間は、磁力によって保持され、
前記グリーンフォークと前記基台は、前記グリーンフォークの長手方向の軸と、前記基台の長手方向の軸が、予め決められた少なくとも２つの角度をなすことが可能なように磁力で保持され、
前記基台は、使用者が身につける靴や衣料品等に前記基台を保持するための固定部を少なくとも一つ備えることを特徴とするラウンド用品セット。
【発明の詳細な説明】
【技術分野】
【０００１】
本発明は、ゴルフ競技中に、グリーン上のディポット跡やボールマークを修復する際に用いるグリーンフォーク、及び、ボールのあった位置に目印を付けるためのボールマーカーに関する。
【背景技術】
【０００２】
ゴルフ競技においてグリーン上で用いるラウンド用品セットとしては、様々なものが存在する。例えばグリーン上のディポット跡やボールマーク（窪み）を修復する際に用いるグリーンフォークや、グリーン上で自分のボールがあった位置に目印をつけるためのボールマーカーなどが代表的なものである。
【０００３】
図８（Ａ）に従来から使用されているグリーンフォーク１００を示し、図８（Ｂ）に従来のボールマーカー１１０の例を示す。競技者は、グリーンフォーク１００をグリーン上にできた窪み近傍に浅く刺し捻り、窪みの真ん中に向かって芝を寄せる。こうすることで芝の根を切らず、元の状態に芝を戻すことができる。またゴルフ競技の規則において、グリーン上では、ボールマーカー１１０で自分のボールの位置をマークしてからでないと、競技者はボールを拾い上げることができないため、ボールマーカー１１０は必須の用具となっている。ボールマーカー１１０には、ボールマーカーをグリーンに刺して固定するため、マーク部１１２から垂直に突出した針部１１５を備えるものも多い。
【０００４】
競技中に、多くの用具を持つことは煩雑なので、グリーンフォークとボールマーカーをまとめたラウンド用品セットが知られている。（例えば、特許文献１参照）。
【０００５】
図８（Ｃ）は、グリーンフォーク１００とボールマーカー１１０が、磁石で保持されるラウンド用品セットの上面図である。ボールマーカー１１０は、後述するように磁力によりグリーンフォーク１００の端部近傍に着脱可能に固定される。
【０００６】
図８（Ｄ）には、上記のラウンド用品セットの断面図を示す。この例で、ラウンド用品セットは、使用者がグリーンフォーク１００等を身につけるための固定具１２０を備える。固定具１２０は弾性体であり、固定具のグリーンフォーク側１２０Ｂの部分とグリーンフォーク１００が一体化されている。使用者は、固定具のグリーンフォーク側１２０Ｂと、固定具の開放側１２０Ａの間に、衣類や帽子のつばを挟み込み、挟持部１３０で押さえて挟持する。グリーンフォーク１００は鉄などの強磁性体を含み、ボールマーカー１１０には、磁石１４０が固定されている。磁石１４０とグリーンフォーク１００が磁力で引き合うことで、ボールマーカー１１０は、グリーンフォーク１００に着脱可能に固定される。
【先行技術文献】
【特許文献】
【０００７】
【特許文献１】特許第５９５９２３７号公報
【発明の概要】
【発明が解決しようとする課題】
【０００８】
しかし、特許文献１記載の技術では、グリーンフォーク１００を利用する際に、固定具１２０が常に付いた状態であり、使い勝手が悪いという問題があった。
【０００９】
また、このグリーンフォーク１００の場合、図８（Ａ）に示すような、針部１１５を有するボールマーカーを取り付けることが難しいという問題があった。
【００１０】
更に、グリーンフォークのフォーク部１０５と固定具１２０の角度が一定になるため、グリーンフォーク１００を常に着脱しやすい方向に着けることは容易でない。また固定具１２０を靴等に着ける場合には、歩きやすい向きへ常にフォーク部１０５を調節することも困難である。
【００１１】
本発明は、上記課題を鑑みてなされたものであり、使用者が身につける靴や衣料品等に固定する固定手段を持ったラウンド用品セットであって、グリーンフォークとボールマーカーをコンパクトにまとめ、ボールマーカーやグリーンフォークを着脱可能に固定することが可能なラウンド用品セットを提供することを目的とする。
【課題を解決するための手段】
【００１２】
（１）本発明は、競技中にゴルフボールの代わりとして置くボールマーカーと、グリーン上のボールマークを直すグリーンフォークと、前記グリーンフォークを保持する基台と、前記ボールマーカーにおいて、前記グリーンフォークと向かい合う面に設けられて、前記グリーンフォークへ前記ボールマーカーを保持させる保持部と、前記グリーンフォークにおいて、前記ボールマーカーと向かい合う第一面に設けられて、前記ボールマーカーを載置する載置部と前記グリーンフォークにおいて、前記第一面の裏側である第二面に設けられて、前記基台を保持するグリーンフォーク側保持手段と前記基台において、前記グリーンフォークと向かい合う第三面に設けられて、前記グリーンフォークを保持する基台側保持手段と、前記基台の前記第三面の裏面である第四面に設けられて、使用者が身につける靴や衣料品等に前記基台を固定する固定手段を備えることを特徴とするラウンド用品セットを提供する。
【００１３】
上記（１）に記載する発明によれば、基台から、グリーンフォークとボールマーカーを自在に着脱することができるので、ラウンド中の脱着負担を大幅に軽減することが可能となる。また本発明に係るラウンド用品セットは、靴の紐など衣類の外側へ容易に取り付けることができるので、ボールマーカーやグリーンフォークをポケットに入れる必要がなくなり、ボールマーカーやグリーンフォークに付着する土によって衣類の内側が汚される可能性が低くなる効果を奏する。
【００１４】
（２）本発明は、前記グリーンフォーク側保持手段は、前記第二面において周方向に間隔を空けて複数配置され、かつ、前記基台側保持手段は、前記第三面において周方向に間隔を空けて複数配置されることを特徴とする上記（１）に記載のラウンド用品セットを提供する。
【００１５】
上記（２）に記載する発明によれば、ボールマーカーとグリーンフォークが、互いに向かい合う側のそれぞれに、互いを保持する保持手段を備えており、その保持手段が周方向に間隔を開けて複数配置されているので、周方向に予め定められた範囲内の角度で保持し合うことが可能になるという優れた効果を奏する。
【００１６】
（３）本発明は、前記ボールマーカーの前記保持部と、前記グリーンフォークの前記載置部との間に働く、ボールマーカーとグリーンフォーク間保持力よりも、前記グリーンフォーク側保持手段と、前記基台側保持手段との間に働く、グリーンフォーク−基台間保持力が大きいことを特徴とする上記（１）または（２）に記載のラウンド用品セットを提供する。
【００１７】
上記（３）に記載する発明によれば、ボールマーカーを使用したいときは、ボールマーカーのみをつまんで外すことができ、必要の無いグリーンフォークは基台に固定されたままにすることが可能であるという極めて優れた効果を奏する。
【００１８】
（４）本発明は、前記グリーンフォークと前記基台が重なって保持されている際、その重なる方向をＺ軸方向と定義するとき、前記グリーンフォーク側保持手段と、前記基台側保持手段は、いずれも点対称に配置され、且つ、前記グリーンフォーク側保持手段の対称中心と、前記基台側保持手段の対称中心が、Ｚ軸方向から見て、略一致することを特徴とする上記（２）に記載のラウンド用品セットを提供する。
【００１９】
上記（４）に記載する発明によれば、グリーンフォーク側保持手段と基台側保持手段が、互いの対称中心を貫いてＺ方向に伸びる軸を中心として、周方向に予め決めた複数の角度で着脱可能に固定できるという極めて優れた効果を奏する。
【００２０】
（５）本発明は、前記グリーンフォーク側保持手段と、前記基台側保持手段のうち少なくとも一方は、着磁された強磁性体であり、且つ、前記グリーンフォーク側保持手段と、前記基台側保持手段は、両者の間に働く磁力により引きつけ合って保持されることを特徴とする上記（１）乃至（４）のうちのいずれかに記載のラウンド用品セットを提供する。
【００２１】
上記（５）に記載する発明によれば、グリーンフォーク側保持手段と、基台側保持手段の間に働く磁力により、グリーンフォークと基台が互いに保持しあうので、グリーンフォークを基台に対して、容易に着脱可能に固定することができるという優れた効果を奏する。
【００２２】
（６）本発明は、前記基台側保持手段が、前記グリーンフォークと向かい合う側が第一磁極に着磁されており、且つ、前記グリーンフォーク側保持手段が、前記基台と向かい合う側が前記第一磁極と逆極性である第二磁極に着磁されていることを特徴とする（５）に記載のラウンド用品セットを提供する。
【００２３】
上記（６）に記載する発明によれば、基台側保持手段とグリーンフォーク側保持手段の向かい合う面が、互いに逆極性に着磁されているので、引き合う保持力が強くなり、確実に保持手段同士での固定が可能になるという優れた効果を奏する。
【００２４】
（７）本発明は、前記ボールマーカーの前記保持部が、強磁性体であることを特徴とする上記（５）または（６）に記載のラウンド用品セットを提供する。
【００２５】
上記（７）に記載する発明によれば、ボールマーカーの保持部が強磁性体なので、ボールマーカーは、基台側保持手段とグリーンフォーク側保持手段のいずれか、または両者の磁力に引きつけられる。よってボールマーカーをグリーンフォークに着脱可能に保持することができるという効果を奏する。
【００２６】
（８）本発明は、前記グリーンフォークの前記載置部が、強磁性体であることを特徴とする上記（７）に記載のラウンド用品セットを提供する。
【００２７】
上記（８）に記載する発明によれば、グリーンフォークの載置部が強磁性体なので、載置部をヨーク（継鉄）になることで、ボールマーカーをより強く引きつける保持力を実現するという優れた効果を奏する。
【００２８】
（９）本発明は、前記グリーンフォークの前記載置部が、着磁された強磁性体であることを特徴とする上記（８）に記載のラウンド用品セットを提供する。
【００２９】
上記（９）に記載する発明によれば、着磁された載置部がボールマーカーの保持部を保持する磁力が強くなり、ボールマーカーがグリーンフォークから、より落ちにくくなるという優れた効果を奏する。
【００３０】
（１０）本発明は、前記載置部が前記ボールマーカーと向かい合う面が第三磁極に着磁されており、且つ、前記保持部は前記グリーンフォークと向かい合う側が該第三磁極と逆極性である第四磁極に着磁されていることを特徴とする上記（９）に記載のラウンド用品セットを提供する。
【００３１】
上記（１０）に記載する発明によれば、互いに向かい合うグリーンフォークの載置部とボールマーカーの保持部が、強く引き合うことで、ボールマーカーがグリーンフォークから、より落ちにくくなるという優れた効果を奏する。
【００３２】
（１１）本発明は、前記グリーンフォークが、非磁性体であることを特徴とする上記（５）乃至（１０）のうちのいずれかに記載のラウンド用品セットを提供する。
【００３３】
上記（１１）に記載する発明によれば、グリーンフォークが非磁性体なので、グリーンフォーク自体が磁力を帯びることが無く、基台が強磁性体である場合にもグリーンフォーク保持手段のある位置以外に誤って固定され難くなるという極めて優れた効果を奏する。
【００３４】
（１２）本発明は、前記ボールマーカーが、略平面状のマーク部と、前記マーク部から略垂直に突出した針部を有し、前記グリーンフォークは、前記針部を貫通させて収容する穴であるグリーンフォーク開口部を備えることを特徴とする上記（１）乃至（１１）のうちのいずれかに記載のラウンド用品セットを提供する。
【００３５】
上記（１２）に記載する発明によれば、ボールマーカーがマーク部から略垂直に突出した針部を有している場合にも、グリーンフォーク側で針部を収容することが可能になる。
【００３６】
（１３）本発明は、前記基台は、前記針部を貫通させて収容する孔である基台開口部を備えることを特徴とする上記（１２）に記載のラウンド用品セットを提供する。
【００３７】
上記（１３）に記載する発明によれば、ボールマーカーの針部が長い場合であっても、基台側が針部の先端を収容することが可能になるという優れた効果を奏する。
【００３８】
（１４）本発明は、前記グリーンフォークが、グリーン上のボールマークを直すため土を掘り起こすフォーク部と、前記使用者が掴んで把持する柄部を備え、前記柄部に前記グリーンフォーク開口部を有することを特徴とする上記（１２）または（１３）に記載のラウンド用品セットを提供する。
【００３９】
上記（１４）に記載する発明によれば、グリーンフォークの柄部にボールマーカーの針部を収容するグリーンフォーク開口部を有するので、グリーンフォークのフォーク部の形状の制約を受けることなく針部を収容することが可能になり、針部付きボールマーカーとグリーンフォークをまとめたラウンド用品セットを実現できるという優れた効果を奏する。
【００４０】
（１５）本発明は、グリーン上に自分のボールが乗った際に、前記ボールの代わりに置くボールマーカーと、ゴルフ場においてグリーン上のボールマークを直すためのグリーンフォークと、前記グリーンフォークを保持する基台を備え、前記ボールマーカーと前記グリーンフォークの間は、磁力によって保持され、前記グリーンフォークと前記基台は、前記グリーンフォークの長手方向の軸と、前記基台の長手方向の軸が、予め決められた少なくとも２つの角度をなすことが可能なように磁力で保持され、前記基台は、使用者が身につける靴や衣料品等に前記基台を保持するための固定手段を少なくとも一つ備えることを特徴とするラウンド用品セットを提供する。
【００４１】
上記（１５）に記載する発明によれば、ボールマーカーとグリーンフォークを着脱可能にまとめたラウンド用品セットであって、当該ラウンド用品セットを靴や衣料品等に容易に固定ができる基台を持ち、しかも基台とグリーンフォークのなす角度が、予め決められた少なくとも２つの角度となるので、好みに応じた角度に固定することができ容易にグリーンフォークを使用することができるため競技もスムーズに侵攻させることができるという優れた効果を奏する。
【発明の効果】
【００４２】
本発明のラウンド用品セットによれば、使用者が身につける靴や衣料品等に固定する固定手段を持った基台に対して、グリーンフォークとボールマーカーをコンパクトにまとめ、ボールマーカーやグリーンフォークを着脱可能に固定することが可能となる。
【図面の簡単な説明】
【００４３】
【図１】（Ａ）本発明の第一実施形態に係るラウンド用品セットの上面図である。（Ｂ）ラウンド用品セットを分解したものの断面図である。（Ｃ）ラウンド用品セットの断面図である。
【図２】（Ａ）基台の断面図である。（Ｂ）基台の上面図である。（Ｃ）ボールマーカーの断面図である。（Ｄ）ボールマーカーの下面図である。
【図３】（Ａ）グリーンフォークの断面図である。（Ｂ）グリーンフォークの上面図である。（Ｃ）グリーンフォークの下面図である。
【図４】（Ａ）グリーンフォークの下面図である。（Ｂ）基台の上面図である。（Ｃ）グリーンフォークと基台が固定された態様を説明する説明図である。
【図５】（Ａ）本発明の第二実施形態に係るラウンド用品セットが備えるグリーンフォークの下面図である。（Ｂ）基台の上面図である。（Ｃ）グリーンフォークと基台が固定された態様を説明する説明図である。
【図６】（Ａ）本発明の第三実施形態に係るラウンド用品セットの分解したものの断面図である。（Ｂ）ラウンド用品セットの断面図である。
【図７】（Ａ）本発明の第四実施形態に係るラウンド用品セットが備えるグリーンフォークの下面図である。（Ｂ）基台の上面図である。（Ｃ）グリーンフォークと基台が固定された態様を説明する説明図である。（Ｄ）予め定められた角度の範囲内で、グリーンフォークと基台が動きうることを示す説明図である
【図８】（Ａ）従来のグリーンフォークの上面図である。（Ｂ）従来のボールマーカーの概念図である。（Ｃ）ボールマーカー付きグリーフォークの上面図である。（Ｄ）ボールマーカー付きグリーンフォークの断面図である。
【発明を実施するための形態】
【００４４】
以下、本発明の実施の形態を添付図面を参照して説明する。
【００４５】
図１〜図７は発明を実施する形態の一例であって、図中、同一の符号を付した部分は同一物を表わす。なお、各図において一部の構成を適宜省略して、図面を簡略化する。そして、部材の大きさ、形状、厚みなどを適宜誇張して表現する。
【００４６】
図１（Ａ）は、本発明の第一実施形態に係るラウンド用品セット１の上面図である。ラウンド用品セット１は、競技中にゴルフボールの代わりとして置くボールマーカー２０と、グリーン上のボールマークを直すグリーンフォーク１０と、グリーンフォーク１０を保持する基台３０を備える。ボールマーカー２０と、グリーンフォーク１０と、基台３０は、それぞれ平面状の形態であり、三者の軸方向を一致させた上でグリーンフォーク１０をボールマーカー２０と基台３０で挟む態様になるように、順に重ねて配置される。
【００４７】
図１（Ｂ）は、ラウンド用品セット１を、それぞれボールマーカー２０と、グリーンフォーク２０と、基台３０に分解したものの断面図である。
【００４８】
ボールマーカー２０の保持部２５と、グリーンフォーク１０の載置部１５との間に働く、ボールマーカー−グリーンフォーク間保持力ＭＦ１の大きさと、グリーンフォーク側保持手段１２と、基台側保持手段３５との間に働く、グリーンフォーク−基台間保持力ＭＦ２の大きさを比較すると、ＭＦ１よりもＭＦ２の方が大きい。
【００４９】
ボールマーカー２０は、グリーンフォーク１０と向かい合う面に設けられて、グリーンフォーク１０へボールマーカー２０を保持させる保持部２５を備える。
【００５０】
グリーンフォーク１０は、ボールマーカー２０と向かい合う第一面１０Ａに設けられて、ボールマーカー２０を載置する載置部１５と、第一面１０Ａの裏側である第二面１０Ｂに設けられて、周方向に間隔を開けて複数配置され、基台３０を保持するグリーンフォーク側保持手段１２を備える。基台３０は、グリーンフォーク１０と向かい合う第三面３０Ａに設けられて、周方向に間隔を開けて複数配置され、グリーンフォーク１０を保持する基台側保持手段３５と、基台３０の第三面３０Ａの裏面である第四面３０Ｂに設けられて、使用者が身につける靴や衣料品等に基台３０を固定する固定手段６０（後述する図２（Ａ）を参照）を備える。
【００５１】
図１（Ｃ）は、ボールマーカー２０と、グリーンフォーク２０と、基台３０を順に組み合わせて完成形としたラウンド用品セットの断面図である。載置部１５と保持部２５が引きつけ合ってボールマーカー２０とグリーンフォーク１０が互いに保持し合い、グリーンフォーク側保持手段１２と基台側保持手段３５が互いに引きつけ合ってグリーンフォーク１０と基台３０が互いに保持し合う。
【００５２】
図２（Ａ）は、基台３０の断面図である。基台は金属製の薄板であり略長方形である。基台３０は、後述するボールマーカー２０の針部７５を収容する基台開口部６５を備える。すなわち、基台開口部６５は、針部７５を貫通させて収容する孔である。基台３０の両端部を折り返すように折り曲げることでフック状にして固定手段６０とすることが望ましい。基台３０には、基台側保持手段３５が備えられ、基台側保持手段３５が設けられた第三面３０Ａの裏側に当たる第四面３０Ｂには、固定手段６０が基台３０の両端に２つ設けられる。基台裏面３７（第四面３０Ｂ）と固定手段６０の間の隙間６２を、例えば靴紐に引っ掛けることで、基台３０を固定することが可能である。基体裏面３７にクリップ等を設けても良い。
【００５３】
図２（Ｂ）は、基台３０の上面図である。基台開口部６５は短辺の垂直二等分線上に中心を持つ円形の貫通孔であり、基台側保持手段３５は、貫通孔と中心を共通にした正方形の頂点を基準として４つ配置される。すなわち基台側保持手段３５は点対称に配置される。正方形の各辺は基台３０の長辺、短辺とそれぞれ略平行である。基台側保持手段３５は円筒状の強磁性体であり、円筒の両端面が磁極となるように着磁されている。すなわち基台側保持手段３５は磁石である。基台側保持手段３５は接着剤等によって基台３０に固定される。４つの基台側保持手段３５は、すべて同じ方向に着磁されている。すなわちグリーンフォーク１０側が、例えばすべてＳ極である。
【００５４】
図２（Ｃ）ボールマーカー２０の断面図である。ボールマーカー２０は、略平面状のマーク部７０と、マーク部７０から略垂直に突出した針部７５を有する。マーク部７０の針部７５が突出する側の面２０Ａには保持部２５が設けられる。保持部２５は着磁された強磁性体であり、例えば円環の端面のうちグリーンフォーク１０側はＳ極である。保持部２５は接着剤等でマーク部７０に固定される。
【００５５】
図２（Ｄ）は、ボールマーカー２０の下面図である。針部７５は略円筒状であり、保持部２５は円環状であり、マーク部７０は平板な円筒である。針部７５の軸と垂直な断面は円であり、その中心と、保持部２５の円環の中心、及び、マーク部７０の端面の円の中心は略共通である。針部７５の軸と垂直な断面の円の直径は、基台開口部６５の直径よりも小さいので、針部７５は基台開口部６５を貫通できる。
【００５６】
図３（Ａ）は、グリーンフォーク１０の断面図である。グリーンフォーク１０は、非磁性体である。グリーンフォーク１０は、グリーン上のボールマークを直すため土を掘り起こすフォーク部４０と、使用者が掴んで把持する柄部４５を備え、柄部に前記グリーンフォーク開口部５０を有する。グリーンフォーク１０は全体として平板であり、柄部４５とフォーク部４０の間には折り曲がり部４２が存在し、フォーク部４０が、ボールマーカー２０側に折れ曲がっている。柄部４５のボールマーカー２０側には、載置部１５が設けられ、基台３０側にはグリーンフォーク側保持手段１２が設けられる。載置部１５も、グリーンフォーク側保持手段１２もグリーンフォーク１０に対して接着剤等で固定されている。
【００５７】
図３（Ｂ）は、グリーンフォーク１０の上面図である。載置部１５は円環状であり、円環の中心には、グリーンフォーク１０においてボールマーカー２０の針部７５を貫通させて収容する穴であるグリーンフォーク開口部５０と中心軸を共通にする同一直径の貫通孔を備える。針部７５の軸と垂直な断面の円の直径は、グリーンフォーク開口部５０の直径よりも小さいので、針部７５はグリーンフォーク開口部５０を貫通できる。
【００５８】
なお基台開口部６５とグリーンフォーク開口部５０の直径は略同一であることが望ましい。
【００５９】
載置部１５は、着磁された強磁性体であり、例えば円環の端面のうちボールマーカー２０側はＮ極である。すなわち、グリーンフォーク１０の載置部１５は着磁された強磁性体であり、ボールマーカー２０と向かい合う面が第三磁極に着磁されているとき、ボールマーカー２０の保持部２５は、グリーンフォーク１０と向かい合う側が、該第三磁極と逆極性である第四磁極に着磁されている。
【００６０】
図３（Ｃ）は、グリーンフォーク１０の下面図である。グリーンフォーク１０の基台３０側には、グリーンフォーク側保持手段１２が設けられる。グリーンフォーク開口部５０と中心を共通にして、対角線をグリーンフォーク１０の長手方向の軸に合わせた菱形の頂点を基準として、グリーンフォーク側保持手段１２は４つ配置される。言い換えるとグリーンフォーク側保持手段１２は点対称に配置される。
【００６１】
グリーンフォーク１０と基台３０が重なって保持されている際、その重なる方向をＺ軸方向と定義するとき、グリーンフォーク側保持手段１２の対称中心と、基台側保持手段３５の対称中心は、Ｚ軸方向から見て略一致する。また基台側保持手段３５がなす正方形と、グリーンフォーク側保持手段１２がなす菱形は合同である。基台側保持手段３５とグリーンフォーク側保持手段１２は、中心を共通にして４５度回転させると一致する位置に配置される。
【００６２】
すなわちグリーンフォーク側保持手段１２と、基台側保持手段３５は、両者の間に働く磁力により引きつけ合って保持される。
【００６３】
グリーンフォーク側保持手段１２は、円筒状の強磁性体であり、円筒の両端面が磁極となるように着磁されている。グリーンフォーク側保持手段１２は磁石である。グリーンフォーク側保持手段１２は接着剤等によってグリーンフォーク１０に固定される。４つのグリーンフォーク側保持手段１２は、すべて同じ方向であって、基台側保持手段３５とは逆特性に着磁されている。すなわち基台３０側が、例えばすべてＮ極である。
【００６４】
すなわち基台側保持手段３５は、グリーンフォーク１０と向かい合う側が第一磁極に着磁されており、且つ、グリーンフォーク側保持手段１２は、基台３０と向かい合う側が第一磁極と逆極性である第二磁極に着磁されている。
【００６５】
まとめると、本第一実施形態に係るラウンド用品セットは、グリーン上に自分のボールが乗った際にボールの代わりに置くボールマーカー２０と、ゴルフ場においてグリーン上のボールマークを直すためのグリーンフォーク１０と、グリーンフォーク１０を保持する基台３０を備え、ボールマーカー２０とグリーンフォーク１０の間は、磁力によって保持され、グリーンフォーク１０と基台３０は、グリーンフォーク１０の長手方向の軸と、基台の長手方向の軸が、予め決められた少なくとも２つの角度をなすことが可能なように磁力で保持され、基台３０は、使用者が身につける靴や衣料品等に基台３０を保持するための固定手段６０を少なくとも一つ備えることを特徴とする。
【００６６】
次に、上記した第一実施形態の動作を説明する。
【００６７】
図４（Ａ）は、グリーンフォーク１０の下面図である。グリーンフォーク側保持手段３５の配置Ａは、グリーンフォーク開口部５０を中心にして菱形様である。
【００６８】
図４（Ｂ）に、基台３０の上面図を示す。基台側保持手段３５の配置は、基台開口部６５を中心にして正方形様である。グリーンフォーク側保持手段１２の配置と基台側保持手段３５の配置Ａは、中心を一致させて４５度回転させると一致する。
【００６９】
図４（Ｃ）は、グリーンフォーク１０と、基台３０が固定される態様を説明する説明図である。Ｚ軸方向上向きから見ると、利き腕が右の使用者にとって柄部４５を掴みやすいＲの配置と、利き腕が左の使用者にとって柄部４５を掴みやすいＬの配置が、互いに９０度の角度をなして実現されることがわかる。
【００７０】
また、基台３０とグリーンフォーク１０の双方に、磁石となるグリーンフォーク側保持手段１２及び基台側保持手段３５が配置されるので、互いを磁力によって吸着させると、グリーンフォーク開口部５０と基台開口部６５のセンタリングが実現される。
【００７１】
本ラウンド用品セット１によれば、ボールマーカー２０とグリーンフォーク１０が、互いに向かい合う側のそれぞれに、互いを保持する保持手段を備えており、その保持手段が周方向に間隔を開けて複数配置されているので、周方向に予め定められた範囲内の角度で保持し合うことが可能になるという優れた効果を奏する。また本ラウンド用品セット１は、使用者が身につける靴や衣料品等に基台を固定する固定手段を備えるので、基台３０に取り付けたラウンド用品を使用し易いよう、靴や衣料品に固定することができるという効果を奏する。また本ラウンド用品セット１は、靴の紐など衣類の外側へ容易に取り付けることができるので、ボールマーカーやグリーンフォークをポケットに入れる必要がなくなり、ボールマーカーやグリーンフォークに付着する土によって衣類の内側が汚される可能性が低くなる効果を奏する。
【００７２】
本ラウンド用品セット１によれば、ボールマーカー２０を使用したいときは、ボールマーカー２０のみをつまんで外すことができ、必要の無いグリーンフォーク１０は基台３０に固定されたままにすることが可能であるという極めて優れた効果を奏する。
【００７３】
本ラウンド用品セット１によれば、グリーンフォーク側保持手段１２と基台側保持手段３５が、互いの対称中心を貫いてＺ方向に伸びる軸を中心として、周方向に予め決めた複数の角度で着脱可能に固定できるという極めて優れた効果を奏する。
【００７４】
本ラウンド用品セット１によれば、グリーンフォーク側保持手段１２と、基台側保持手段３５の間に働く磁力により、グリーンフォーク１０と基台３０が互いに保持しあうので、グリーンフォーク１０を基台３０に対して、容易に着脱可能に固定することができるという優れた効果を奏する。
【００７５】
本ラウンド用品セット１によれば、基台側保持手段１２とグリーンフォーク側保持手段３５の向かい合う面が、互いに逆極性に着磁されているので、引き合う保持力が強くなり、確実に保持手段同士での固定が可能になるという優れた効果を奏する。
【００７６】
本ラウンド用品セット１によれば、ボールマーカー１０の保持部２５が強磁性体なので、ボールマーカーは、基台側保持手段とグリーンフォーク側保持手段のいずれか、または両者の磁力に引きつけられる。よってボールマーカー２０をグリーンフォーク１０に着脱可能に保持することができるという効果を奏する。
【００７７】
本ラウンド用品セット１によれば、グリーンフォーク１０の載置部１５が強磁性体なので、載置部１５をヨーク（継鉄）になることで、ボールマーカー２０をより強くグリーンフォーク１０側に引きつける保持力を実現するという優れた効果を奏する。
【００７８】
本ラウンド用品セット１によれば、着磁された載置部１５がボールマーカー２０の保持部２５を保持する磁力が強くなり、ボールマーカー２０がグリーンフォーク１０から、より落ちにくくなるという優れた効果を奏する。
【００７９】
本ラウンド用品セット１によれば、互いに向かい合うグリーンフォーク１０の載置部１５とボールマーカー２０の保持部２５が、強く引き合うことで、ボールマーカー２０がグリーンフォーク１０から、より落ちにくくなるという優れた効果を奏する。
【００８０】
本ラウンド用品セット１によれば、グリーンフォーク１０が非磁性体なので、グリーンフォーク１０自体が磁力を帯びることが無く、基台３０が強磁性体である場合にもグリーンフォーク側保持手段１２のある位置以外に誤って固定され難くなるという極めて優れた効果を奏する。
【００８１】
本ラウンド用品セット１によれば、ボールマーカー２０がマーク部７０から略垂直に突出した針部７５を有している場合にも、針部７５を収容することが可能になり、針部付きボールマーカーとグリーンフォークをまとめたラウンド用品セット１を実現できるという優れた効果を奏する。
【００８２】
本ラウンド用品セット１によれば、グリーンフォーク１０の柄部４５にボールマーカー２０の針部７５を収容するグリーンフォーク開口部５０を有するので、グリーンフォーク１０のフォーク部４０の形状の制約を受けることなく針部７５を収容することが可能になり、針部付きボールマーカーとグリーンフォークをまとめたラウンド用品セットを実現できるという優れた効果を奏する。
【００８３】
本ラウンド用品セット１によれば、ボールマーカー２０とグリーンフォーク１０を着脱可能にまとめたラウンド用品セットであって、当該ラウンド用品セット１を靴や衣料品等に容易に固定ができる基台３０を持ち、しかも基台３０とグリーンフォーク１０のなす角度が、予め決められた少なくとも２つの角度となるので、好みに応じた角度に固定することができ容易にグリーンフォーク１０を使用することができるため、競技をスムーズに進行させることができるという優れた効果を奏する。
【００８４】
図５（Ａ）は、本発明の第二実施形態に係るラウンド用品セットが備えるグリーンフォーク１０の下面図である。図５（Ｂ）は基台３０の上面図である。グリーンフォーク１０と、基台３０と、グリーンフォーク側保持手段１２と、基台側保持手段３５の個々の形態は、上述した第一実施形態と同一なため記載を省略する。異なる点は、グリーンフォーク側保持手段１２の配置と、基台側保持手段３５の配置である。いずれの配置もそれぞれグリーンフォーク開口部５０、基台開口部６５を中心とした点対称、正六角形の配置であるため、第一実施形態と異なり、グリーンフォーク１０の長手方向の軸と、基台３０の長手方向の軸を一致させると、グリーンフォーク側保持手段１２の配置と基台側保持手段３５の配置は一致する。
【００８５】
図５（Ｃ）は、グリーンフォーク１０と、基台３０が固定される態様を説明する説明図である。Ｚ軸方向上向きから見ると、利き腕が右の使用者にとって柄部４５を掴みやすいＲの配置と、利き腕が左の使用者にとって柄部４５を掴みやすいＬの配置が、互いに１２０度の角度をなして実現される。またグリーンフォーク１０と基台３０の長手方向の軸が一致するＭの配置も実現される。本第二実施形態のように、グリーンフォーク側保持手段１２の配置と、基台側保持手段３５の配置が一致していると、上記Ｍの配置のようにグリーンフォーク１０と基台３０が平行に組み立てられて保持しあうことができるので、互いにはみ出る部位無くコンパクトに収納が可能なラウンド用品セットが実現できるという優れた効果を奏する。
【００８６】
図６（Ａ）は、本発明の第三実施形態に係るラウンド用品セットの分解したものの断面図である。上述の実施形態と異なり、グリーンフォーク１０について、載置部１５が省かれている。そして保持部２５は強磁性体であるが着磁されていない。他の構成については上述の第一実施形態と同一なので記載を省略する。このような態様であってもグリーンフォーク側保持手段１２からの磁力がグリーンフォーク１０を引きつけることで、ボールマーカー２０をグリーンフォーク１０に保持することができる。
【００８７】
図６（Ｂ）は、ボールマーカー２０と、グリーンフォーク２０と、基台３０を順に組み合わせて完成形としたラウンド用品セットの断面図である。保持部２５がグリーンフォーク側保持手段１２と引きつけ合ってボールマーカー２０とグリーンフォーク１０が互いに保持し合い、グリーンフォーク側保持手段１２と基台側保持手段３５が互いに引きつけ合ってグリーンフォーク１０と基台３０が互いに保持し合う。
【００８８】
図７（Ａ）は、本発明の第四実施形態に係るラウンド用品セットが備えるグリーンフォークの下面図である。図７（Ｂ）は基台３０の上面図である。グリーンフォーク１０と、基台３０の個々の形態は、上述した第一実施形態と同一なため記載を省略する。
【００８９】
本実施形態ではグリーンフォーク１０と基台３０が強磁性体である。また、基台側保持手段２５は、グリーンフォーク１０と向かい合う側が第一磁極に着磁されており、且つ、グリーンフォーク側保持手段１２は、基台３０と向かい合う側も同一の第一磁極に着磁されている。
【００９０】
更にグリーンフォーク側保持手段１２の配置及び基台側保持手段３５の配置は、それぞれグリーンフォーク開口部５０、基台開口部６５を中心とした点対称はあるが、正三角形の配置である。
【００９１】
図７（Ｃ）は、グリーンフォーク１０と、基台３０が固定される態様を説明する説明図である。グリーンフォーク側保持手段１２と基台側保持手段３５が向かい合う形で同一局性なので、互いに避ける方向に力を及ぼすが、基台側保持手段３５は、強磁性体であるグリーンフォーク１０の柄部４５に引きつけられ、グリーンフォーク側保持手段１２は、強磁性体である基台３０に引きつけられ、互いに保持し合う。即ち、グリーンフォーク側保持手段１２の正三角形と、基台側保持手段３５の正三角形が、互いの周方向の位相をずらした状態で、互いに吸引し合う結果となる。
【００９２】
図７（Ｄ）はグリーンフォーク１０と基台３０の互いになす角度を変えた例である。図７（Ｃ）及び図７（Ｄ）で示すように、本実施形態においては、グリーンフォーク開口部５０あるいは基台開口部６５を中心として、グリーンフォーク側保持手段１２と基台側保持手段３５が重ならない予め定められた範囲内の角度で、グリーンフォーク１０と基台３０が保持し合う。
【００９３】
尚、本発明に係るラウンド用品セットは、上記した実施の形態に限定されるものではなく、本発明の要旨を逸脱しない範囲内において種々変更を加え得ることは勿論である。
【００９４】
例えば上述の実施形態においては、ボールマーカー２０が針部７５を有することを前提としたが、ボールマーカー２０は針部７５を持たない平板な態様でも良い。この場合、ボールマーカー２０に突出部が無いので、グリーンフォーク１０にはグリーンフォーク開口部５０を設けなくて良い。また基台３０にも、基台開口部６５を設けなくて良い。
【００９５】
あるいは針部７５の長さが短くて、基台開口部６５が無くとも、グリーンフォーク開口部５０だけで針部７５を収容できる場合も考えられる。すなわちグリーンフォーク１０は、針部７５を貫通させて収容する穴であるグリーンフォーク開口部５０を備えるが、基台３０は、針部７５を貫通させて収容する孔である基台開口部６５を備えない場合も考えられる。またグリーンフォーク開口部５０や基台開口部６５は貫通孔ではなく、窪みである場合も考えられる。
【符号の説明】
【００９６】
１    ラウンド用品セット
１０    グリーンフォーク
１２    グリーンフォーク側保持手段
１５    載置部
２０    ボールマーカー
２５    保持部
３０    基台
３５    基台側保持手段
４０    フォーク部
４５    柄部
５０    グリーンフォーク開口部
６０    固定手段
６２    隙間
６５    基台開口部
７０    マーク部
７５    針部
１００    グリーンフォーク
１０５    フォーク部
１１０    ボールマーカー
１１２    マーク部
１１５    針部
１２０    固定具
１３０    挟持部材
１４０    磁石
【図１】
2018110754.tif 000003
【図２】
2018110754.tif 000004
【図３】
2018110754.tif 000005
【図４】
2018110754.tif 000006
【図５】
2018110754.tif 000007
【図６】
2018110754.tif 000008
【図７】
2018110754.tif 000009
【図８】
2018110754.tif 000010